(57)【要約】【課題】  給湯機(51)からの温水を暖房ユニットに供給しながら循環ファンを作動させる暖房運転と、前記温水の供給を停止した状態で前記循環ファンを作動させる循環送風運転の各運転モードを選択的に実行する空気調和システムに於いて、前記暖房ユニットを複数配設する場合でも、該暖房ユニットのリモコン装置と給湯機を単一の通信線で接続できるようにする。【解決手段】  給湯機(51)から各暖房ユニット(2)(4)の並列回路を通過して前記給湯機(51)に帰還する循環流路(D)が形成されており、前記運転モードを各暖房ユニット毎に使用者が選択する為の運転モード選択部(63)を備え且つ通信線(61)を介して前記給湯機に接続された単一のリモコン装置(6)が設けられており、少なくとも一つの暖房ユニット(2)(4)に対して暖房運転が選択されている場合は、給湯要求信号をリモコン装置(6)から通信線(61)を介して給湯機(51)に送信する。【選択図】  図２
2005134004.tif 000002
【特許請求の範囲】
【請求項１】
放熱用熱交換器と、空調対象たる室内の空気を前記放熱用熱交換器に接触させた後に再び前記室内に帰還させる循環ファンとを備えた暖房ユニットを用い、
給湯機からの温水を前記放熱用熱交換器に供給しながら前記循環ファンを作動させる暖房運転と、前記放熱用熱交換器への前記温水の供給を停止した状態で前記循環ファンを作動させる循環送風運転とを選択的に実行する空気調和システムに於いて、
前記給湯機の温水出口から、前記暖房ユニットの放熱用熱交換器が各別に設けられた複数の放熱用分岐流路の並列回路を通過して、前記給湯機の温水戻り口に帰還する循環流路が形成されており、
前記各放熱用分岐流路の夫々に温水開閉弁が設けられ、
前記各暖房ユニットの夫々に前記暖房運転と前記循環送風運転を実行させる為の運転モードを各暖房ユニット毎に利用者が選択する為の運転モード選択部を備え且つ通信線を介して前記給湯機に接続された単一のリモコン装置が設けられ、
前記運転モード選択部で前記運転モードが選択された各暖房ユニットのうち、少なくとも一つの暖房ユニットに対して暖房運転が選択されている場合は、前記循環流路に温水を供給させる給湯要求信号を前記リモコン装置から前記通信線を介して前記給湯機に送信する制御と、
前記暖房運転が選択された暖房ユニットに対応する前記温水開閉弁を開弁させると共に該暖房ユニットに対応する循環ファンを作動させる制御と、
前記循環送風運転が選択された暖房ユニットに対応する前記温水開閉弁を閉弁状態に維持すると共に該暖房ユニットに対応する循環ファンを作動させる制御とを実行する、空気調和システム。
【発明の詳細な説明】
【技術分野】
【０００１】
本発明は、浴室と脱衣室等のような複数の室内の暖房や乾燥等を行なう空気調和システムに関するものである。
【背景技術】
【０００２】
浴室と脱衣室の暖房等が行なえる空気調和システムとして、図６の如きものが知られている（特許文献１参照）。
浴室(A)の天井孔(10)はグリル板(11)で覆われていると共に、該天井孔(10)の上方には浴室暖房ユニット(2)が配設されている。
【０００３】
浴室暖房ユニット(2)内には、グリル板(11)の吸気口(110)の上方に位置する循環ファン(21)と、温風吐出口(111)の上方に位置する放熱用熱交換器(22)が設けられており、浴室(A)内の空気は吸気口(110)→循環ファン(21)→放熱用熱交換器(22)→温風吐出口(111)と繋がる経路で流動して再び浴室(A)に吐出されるようになっている。
【０００４】
又、浴室暖房ユニット(2)内には、放熱用熱交換器(22)の上流側通風路の空気を吸引すると共に、開放状態にあるダンパ(13b)を介して後述する脱衣室暖房ユニット(4)の放熱用熱交換器(44)の上流側通風路の空気を吸引する換気ファン(13)が設けられている。そして、この換気ファン(13)の吐出側に連設された通風路は浴室用熱交換器(2)の側壁に開設されたダクト接続口(2a)に繋がっていると共に、該ダクト接続口(2a)には外部連通ダクト(13a)が接続されている。
【０００５】
他方、浴室暖房ユニット(2)の上には、脱衣室暖房ユニット(4)が配設されていると共に、該脱衣室暖房ユニット(4)の側壁に開設された吸引ダクト接続口(41)と脱衣室(B)の天井(31)の吸気口(32)は吸気ダクト(33)で接続されている。又、脱衣室暖房ユニット(4)の側壁に開設された吐出ダクト接続口(42)と脱衣室(B)の天井(31)の温風吐出口(34)は、吐出ダクト(35)で接続されている。又、脱衣室暖房ユニット(4)内には、前記吸引ダクト接続口(41)の開設部から放熱用熱交換器(44)の配設部を経由して循環ファン(45)の配設部に繋がる通風路が形成されている。
【０００６】
前記浴室暖房ユニット(2)の放熱用熱交換器(22)と脱衣室暖房ユニット(4)の放熱用熱交換器(44)には、屋外等に設置された給湯機(51)から温水供給されるようになっており、該給湯機(51)から引き出された温水パイプ(54)によって前記放熱用熱交換器(22)(44)が直列状態に配管接続されている。又、前記温水パイプ(54)には温水開閉弁(55)が配設されており、該温水開閉弁(55)が開弁すると、前記脱衣室暖房ユニット(4)の放熱用熱交換器(44)と浴室暖房ユニット(2)の放熱用熱交換器(22)に温水が流れるようになっている。
【０００７】
又、浴室(A)又は脱衣室(B)の壁面に配設されたリモコン装置(52)は、通信線(57a)を介してユニット制御装置(53)に配線接続されていると共に、該ユニット制御装置(53)は他の通信線(57b)を介して給湯機(51)に配線接続されている。そして、前記ユニット制御装置(53)によって浴室暖房ユニット(2)や脱衣室暖房ユニット(4)の各電気部品が制御されるようになっている。
このものでは、浴室(A)や脱衣室(B)の暖房や乾燥、更には室内空気を循環送風させる運転等を実行する機能を具備しており、夫々の運転は次のようにして行なわれる。
【０００８】
１．暖房運転
リモコン装置(52)で浴室(A)と脱衣室(B)の暖房を指示すると、給湯機(51)が作動すると共に温水開閉弁(55)が開弁し、これにより、給湯機(51)→放熱用熱交換器(44)→放熱用熱交換器(22)→給湯機(51)と繋がる温水パイプ(54)内で温水が循環する。又、これと同時に循環ファン(21)(45)が作動する。すると、循環ファン(21)の作動により、浴室天井の吸気口(110)から循環ファン(21)に吸引された空気は、該循環ファン(21)から吐出された後に放熱用熱交換器(22)部分で熱交換して昇温し、その後、温風吐出口(111)から浴室(A)に吐出される。これにより、浴室(A)の暖房が行なえる。一方、脱衣室暖房ユニット(4)の循環ファン(45)も作動し、これにより、脱衣室(B)の吸気口（32）→吸気ダクト(33)→吸引ダクト接続口(41)→放熱用熱交換器(44)→循環ファン(45)→吐出ダクト接続口(42)→吐出ダクト(35)→温風吐出口(34)→脱衣室(B)と繋がる経路で空気が流動し、これにより、脱衣室(B)の暖房が行なえる。
又、浴室(A)又は脱衣室(B)のうち、何れか一方のみを暖房する場合には、温水開閉弁(55)を開弁させると共に、暖房する部屋に対応する循環ファン(21)又は循環ファン(45)を作動させる。
これにより、暖房が必要な浴室(A)又は脱衣室(B)の一方を暖房することができる。
【０００９】
２．乾燥運転
上記暖房運転時に換気ファン(13)を作動させると、浴室(A)等の湿潤空気を換気ファン(13)で外部に排出させる動作と前記暖房運転が同時進行し、これにより、浴室(A)等の乾燥が行われる。
【００１０】
３．循環送風運転
リモコン装置(52)で循環送風運転を指示すると、温水パイプ(54)の温水開閉弁(55)が閉じた状態（放熱用熱交換器(22)(44)に温水供給されない状態）で循環ファン(21)(45)が作動し、これにより、前記暖房運転時と同じ経路で浴室(A)内や脱衣室(B)内の空気を循環させる循環送風運転が行なわれる。
【特許文献１】特許第２９３３５２９号明細書（図１）
【発明の開示】
【発明が解決しようとする課題】
【００１１】
しかしながら、上記従来のものでは、給湯機(51)から引き出された温水パイプ(54)によって放熱用熱交換器(22)(44)が直列接続されている。従って、浴室(A)又は脱衣室(B)の何れか一方のみを暖房する場合でも、直列接続された放熱用熱交換器(22)(44)の両者に温水が流れる。
【００１２】
このことから、上記従来のものでは、次の問題がある。
１．暖房しない部屋に対応する放熱用熱交換器(22)又は放熱用熱交換器(44)に無用な温水が流れる分だけ、熱ロスが生じる。
【００１３】
２．放熱用熱交換器(22)(44)の両者に一括して温水が流れるから、浴室(A)又は脱衣室(B)の一方を暖房し、他方を循環送風運転させる場合のように、浴室(A)と脱衣室(B)に対して異なった種類の運転を同時に行なうことができない。
そこで、上記問題を解決する為に、浴室(A)と脱衣室(B)に対して互いに独立した空気調和システムを別々に構築することも考えられる。具体的には、浴室暖房ユニット(2)と脱衣室暖房ユニット(4)を独立させ、これらを共通の給湯機(51)に対して並列に配管接続すると共に、浴室暖房ユニット(2)側と脱衣室暖房ユニット(4)側の配管に各別に温水開閉弁を配設し、更に、前記浴室暖房ユニット(2)と脱衣室暖房ユニット(4)の夫々に対応する２つのリモコン装置を浴室(A)と脱衣室(B)に各別に設置するのである。
【００１４】
このようにすると、浴室(A)と脱衣室(B)の何れか一方のみを暖房するときは、暖房する部屋に対応する一方のリモコン装置を操作することにより、浴室暖房ユニット(2)又は脱衣室暖房ユニット(4)の一方にのみ温水を供給する（前記温水開閉弁を開弁させる。）ことができるから、前述した熱ロスが生じない。又、温水供給しない浴室暖房ユニット(2)又は脱衣室暖房ユニット(4)の循環ファン(21)又は循環ファン(45)を作動させると、空気が加熱されることなく循環するから、浴室(A)又は脱衣室(B)の一方を暖房しながら他方を循環送風させることが出来、浴室(A)と脱衣室(B)に対して、種類の異なった運転を同時に行なうことができる。
【００１５】
しかしながら、給湯機(51)に並列配管された浴室暖房ユニット(2)又は脱衣室暖房ユニット(4)を、これらに対応する２個のリモコン装置で各別に操作する前述の改良案では、前記浴室暖房ユニット(2)と脱衣室暖房ユニット(4)の夫々に対応する２個のリモコン装置から各別に引き出した二本の通信線を給湯機(51)に各別に配線接続しなければならず、既述従来のものに比べて通信線の数が多くなると共に、通信線の数が多くなる分だけ配線作業に手間がかかるという問題があった。
【００１６】
本発明は、かかる点に鑑みて成されたもので、
『放熱用熱交換器と、空調対象たる室内の空気を前記放熱用熱交換器に接触させた後に再び前記室内に帰還させる循環ファンとを備えた暖房ユニットを用い、
給湯機からの温水を前記放熱用熱交換器に供給しながら前記循環ファンを作動させる暖房運転と、前記放熱用熱交換器への前記温水の供給を停止した状態で前記循環ファンを作動させる循環送風運転とを選択的に実行する空気調和システム』に於いて、前記暖房ユニットを複数配設する場合でも、該暖房ユニットのリモコン装置と給湯機を繋ぐ通信線の数を少なくできるようにして配線作業の作業性の向上が図れるようにすることをその課題とする。
【課題を解決するための手段】
【００１７】
上記課題を解決する為の請求項１に係る発明の技術的手段は、
『前記給湯機の温水出口から、前記暖房ユニットの放熱用熱交換器が各別に設けられた複数の放熱用分岐流路の並列回路を通過して、前記給湯機の温水戻り口に帰還する循環流路が形成されており、
前記各放熱用分岐流路の夫々に温水開閉弁が設けられ、
前記各暖房ユニットの夫々に前記暖房運転と前記循環送風運転を実行させる為の運転モードを各暖房ユニット毎に利用者が選択する為の運転モード選択部を備え且つ通信線を介して前記給湯機に接続された単一のリモコン装置が設けられ、
前記運転モード選択部で前記運転モードが選択された各暖房ユニットのうち、少なくとも一つの暖房ユニットに対して暖房運転が選択されている場合は、前記循環流路に温水を供給させる給湯要求信号を前記リモコン装置から前記通信線を介して前記給湯機に送信する制御と、
前記暖房運転が選択された暖房ユニットに対応する前記温水開閉弁を開弁させると共に該暖房ユニットに対応する循環ファンを作動させる制御と、
前記循環送風運転が選択された暖房ユニットに対応する前記温水開閉弁を閉弁状態に維持すると共に該暖房ユニットに対応する循環ファンを作動させる制御とを実行する』ことである。
上記技術的手段によれば、給湯機から供給される温水は、並列接続された各放熱用分岐流路の夫々に設けられた温水開閉弁から、前記各放熱用分岐流路に流れるように回路構成されている。
【００１８】
一方、前記運転モード選択部で運転モードが選択された各暖房ユニットのうち、少なくとも一つの暖房ユニットに対して暖房運転が選択されている場合は、前記循環流路に温水を供給させる給湯要求信号がリモコン装置から通信線を介して給湯機に送信され、該給湯要求信号を受信した給湯機は温水を循環流路に供給し始める。
【００１９】
このように、上記技術的手段によれば、各暖房ユニットの運転モード（暖房運転と循環送風運転のモード）の組合せ態様が多数存在するにも関わらず、同時運転される各暖房ユニットのうち少なくとも一つの暖房ユニットに対する暖房運転が選択されていることを示す一種類の給湯要求信号を給湯機に送信するか否かによって該給湯機を制御することができる。よって、各暖房ユニットに共通のリモコン装置から単一の通信線を介して給湯機を制御することができる。従って、各暖房ユニットに対応してリモコン装置を各別に設ける為にリモコン装置の数だけ給湯機への通信線が必要なものに比べて、通信線の数が少なくなり、その分、配線作業の作業性が向上する。
【００２０】
一方、暖房運転が選択された暖房ユニットに対応する温水開閉弁が開弁され、これにより、該暖房ユニットの放熱用熱交換器を具備する放熱用分岐流路に温水が供給されて該放熱用熱交換器が昇温される。更に、前記暖房運転が選択された暖房ユニットに対応する循環ファンが作動し、これにより、空調対象としての室内の空気が、前記昇温状態にある放熱用熱交換器部を通過して再び前記室内に帰還するように循環され、これにより、室内の暖房が行なえる。
【００２１】
更に、循環送風運転が選択された暖房ユニットに対応する温水開閉弁は閉弁状態に維持されると共に、循環ファンが作動され、これにより、循環送風運転が継続する。
従って、上記技術的手段によれば、互いに並列に配管接続された暖房ユニットのうち、暖房運転の運転モードが選択された暖房ユニットに対応する温水開閉弁のみが開弁するから、暖房しない部屋の暖房ユニットの放熱用熱交換器には無駄に温水が流れず、熱ロスが生じない。
【００２２】
更に、各暖房ユニットに対応する放熱用分岐流路の夫々に温水開閉弁を設けたから、異なった種類の運転モード、即ち、暖房運転と循環送風運転のモードを異なった部屋間で同時に実行させることができる。
【発明の効果】
【００２３】
本発明は次の特有の効果を有する。
既述したように、複数の暖房ユニットに対応してリモコン装置を各別に設ける為にリモコン装置の数だけ給湯機への通信線が必要なものに比べて、通信線の数が少なくなり、その分、配線作業の作業性が向上する。
又、異なった種類の運転モード、即ち、暖房運転と循環送風運転を異なった部屋間で同時に実行させることができる。
【発明を実施するための最良の形態】
【００２４】
以下に、本発明を実施するための最良の形態について添付図面を参照しながら説明する。
図１は、本発明の実施の形態に係る空気調和システムを説明する概略斜視図であり、図２はその温水回路等の概略図である。
【００２５】
[全体構成]
図１に示すように、浴室(A)の天井には浴室暖房ユニット(2)が配設されていると共に、脱衣室(B)の天井には脱衣室暖房ユニット(4)が配設されている。
又、図１，図２に示すように、前記給湯機(51)の第１温水出口(511)から、浴室暖房ユニット(2)と脱衣室暖房ユニット(4)を各別に備えた複数の放熱用分岐流路(20)(40)の並列回路(C)を通過して、前記給湯機(51)の温水戻り口(512)に帰還する循環流路(D)が形成されている。又、給湯機(51)に設けられた第２温水出口(513)には、台所(K)の出湯蛇口(15)に繋がる給湯流路(E)が接続されていると共に、該台所(K)には後述する給湯機(51)の電源をＯＮ・ＯＦＦする運転スイッチ(161)や給湯温度を設定する給湯温度設定スイッチ(162)を備えた台所用リモコン装置(16)が設けられている。
又、脱衣室(B)には、上記浴室暖房ユニット(2)及び脱衣室暖房ユニット(4)に通信線(60)を介して配線接続されたリモコン装置(6)が配設されており、給湯機(51)から引き出された他の通信線(61)は給湯機(51)に配線接続されている。
【００２６】
以下、各部の詳細を説明する。
[浴室暖房ユニット(2)及び脱衣室暖房ユニット(4)について]
浴室暖房ユニット(2)と脱衣室暖房ユニット(4)は、同一構成を有しているので、浴室暖房ユニット(2)の構成のみを説明する。
図３に示すように、浴室暖房ユニット(2)の暖房用外箱(26)は一端が底板(27)で閉塞された矩形枠部(28)を備えており、該矩形枠部(28)の他端の開口部(29)は下向きに開放している。
【００２７】
又、矩形枠部(28)の一つの側壁(26a)には、後述する換気用外箱(71)内と連通させる為の嵌合筒(200)が突設されている。
尚、暖房用外箱(26)の下端の開口部(29)は、浴室の天井孔(A2)を塞ぐ態様で配置されると共に、図３に表れるグリル板(11)で覆われるようになっている。
【００２８】
上記暖房用外箱(26)に収納される温風暖房機能部(23)は、前記暖房用外箱(26)の下端の開口部(29)より一回り小さな横断面矩形状の暖房機能部用ケーシング(24)を具備している。
暖房機能部用ケーシング(24)は、後述する円筒状の循環ファン(21)の両軸端側を閉塞する異形側板(24a)(24a)と該両異形側板(24a)(24a)の一端相互を繋ぐように設けられた矩形側板(24b)と、該矩形側板(24b)の対向部から暖房機能部用ケーシング(24)の底板を構成するガイドウォール(24c)で構成されている。又、ガイドウォール(24c)の下流端近傍に対応する位置には他方のガイドウォール(24d)が並設されており、これらガイドウォール(24c)(24d)の下端相互間が温風吐出口(25)になっていると共に、該温風吐出口(25)は、図３に示すようにルーバー(250)で覆われている。従って、循環ファン(21)を作動させると、浴室(A)内の空気が放熱用熱交換器(22)の配設部を通過して再び浴室(A)内に帰還するように該空気を循環させることができる。
【００２９】
図３に示すように、暖房機能部用ケーシング(24)の下端外周には吸気スリット(241a)(241a)が開設された取り付けフランジ(241)が張り出している。そして、該取り付けフランジ(241)が暖房用外箱(26)の開口部(29)周縁に当接するまで暖房機能部用ケーシング(24)を暖房用外箱(26)に挿入したときには、暖房用外箱(26)の内面と暖房機能部用ケーシング(24)の外面との間には換気用の空気が流れる通気間隙(242)が形成されるようになっている。従って、後述する換気ファン(72)を作動させたときには、暖房用外箱(26)と暖房機能部用ケーシング(24)の相互間に形成された通気間隙(242)に流入する空気は、通気間隙(242)から嵌合筒(200)内を経由して換気ファン(72)に繋がる経路で流動する。
【００３０】
又、暖房機能部用ケーシング(24)内の前記ガイドウォール(24c)(24d)の配設部に隣接する位置には、多数並設されたフィン(220)(220)群とこれらを貫通する温水管(221)(221)とから成る放熱用熱交換器(22)が配設されている。
又、放熱用熱交換器(22)の温水管(221)(221)は、図１に示す放熱用分岐流路(20)に接続されていると共に、該放熱用分岐流路(20)には図１，２に示すように流路開閉する温水開閉弁(222)が配設されており、該温水開閉弁(222)を介して給湯機(51)からの温水を放熱用熱交換器(22)に供給・遮断できるようになっている。
【００３１】
暖房用外箱(26)の側壁(26a)から突出する嵌合筒(200)に接続される換気用外箱(71)は扁平な矩形箱状に形成されていると共に、該換気用外箱(71)内には前記嵌合筒(200)を介して暖房用外箱(26)内の空気を吸引する換気ファン(72)が収納されており、該換気ファン(72)の吐出口(70)は、換気用外箱(71)の側壁に突設された換気ダクト接続筒(73)（図１参照）に連通している。又、換気用外箱(71)の側壁に突設された接続筒部(74)は暖房用外箱(26)の側壁(26a)に突設された嵌合筒(200)に外嵌固定されている。尚、前記換気ダクト接続筒(73)には換気用の図示しない外部連通ダクトが接続されている。
【００３２】
[リモコン装置(6)について]
図４に示すように、前記リモコン装置(6)には運転状態や暖房設定温度等を表示する表示部(64)が形成されていると共に、該表示部(64)の下方には、浴室暖房ユニット(2)又は脱衣室暖房ユニット(4)のうち運転モードをセットする対象を特定するユニット選択スイッチ(66)と、選択した浴室暖房ユニット(2)や脱衣室暖房ユニット(4)の運転モードを選択するモード選択スイッチ(63)と、浴室(A)や脱衣室(B)の暖房温度を設定する暖房温度設定スイッチ(68)と、更に、給湯機(51)の電源をＯＮ・ＯＦＦする運転スイッチ(65)が設けられている。尚、本実施の形態では、上記ユニット選択スイッチ(66)と、該ユニット選択スイッチ(66)で選択された浴室暖房ユニット(2)や脱衣室暖房ユニット(4)の運転モードを選択するモード選択スイッチ(63)の組合せが、既述発明特定事項として記載した運転モード選択部に対応する。
【００３３】
このものでは、ユニット選択スイッチ(66)の繰り返し投入によって浴室暖房ユニット(2)又は脱衣室暖房ユニット(4)を選択してその後確定スイッチ(67)を投入し、その後、モード選択スイッチ(63)の繰り返し投入によって前記暖房運転等の運転モードを選択して確定スイッチ(67)を投入すると、選択された浴室暖房ユニット(2)又は脱衣室暖房ユニット(4)の運転モードを設定することができる。この設定操作を浴室暖房ユニット(2)及び脱衣室暖房ユニット(4)の夫々に対して行なえば、これら浴室暖房ユニット(2)及び脱衣室暖房ユニット(4)の両者の運転モードを設定することができる。
【００３４】
ここで、浴室(A)の暖房運転とは給湯機(51)から浴室暖房ユニット(2)の放熱用熱交換器(22)に温水を供給した状態で温水開閉弁(222)を開弁すると共に循環ファン(21)を作動させる運転を意味し、浴室(A)の乾燥運転とは前記暖房運転状態で換気ファン(72)を作動させる運転を意味し、循環送風運転とは放熱用熱交換器(22)に温水を供給することなく循環ファン(21)を作動させる運転を意味し、更に、換気運転とは換気ファン(72)の作動のみを行なわせる運転を意味する。
【００３５】
そして、リモコン装置(6)は上記各運転モードを実現する為に必要な制御信号を、通信線(60)を介して浴室暖房ユニット(2)や脱衣室暖房ユニット(4)に送信する。尚、リモコン装置(6)と浴室暖房ユニット(2)及び脱衣室暖房ユニット(4)とは双方向性の通信がされるようになっており、これにより、浴室暖房ユニット(2)や脱衣室暖房ユニット(4)が故障や異常停止状態にあることを示す信号をこれら各ユニット(2)(4)から受信して表示部(64)に表示させたり、又、上記故障等の信号を給湯機(51)に送信できるようになっている。又、リモコン装置(6)は、浴室暖房ユニット(2)又は脱衣室暖房ユニット(4)の何れか一方が温水を必要とする運転、即ち、暖房運転か乾燥運転のモードが選択されている場合は、通信線(61)を介して給湯機(51)に前記暖房運転又は乾燥運転が選択されていることを示す信号（既述発明特定事項たる「給湯要求信号」に対応する）を送信する双方向通信機能を有している。そして、上記信号を受信した給湯機(51)は、後述するように温水を加熱生成してこれを循環流路(D)に供給する。
【００３６】
具体的には、リモコン装置(6)は図５の表で表す信号を給湯機(51)に送信する。
図５の表の横方向には、脱衣室暖房ユニット(4)の運転モードや停止状態等が配列されており、縦方向には、浴室暖房ユニット(2)の運転モードや停止状態等が配列されている。
そして、図５の表の横列と縦列の交差点に位置する枠内には、リモコン装置(6)から給湯機(51)に送信する信号の内容が格納されている。具体的には、図５の「●」は脱衣室暖房ユニット(4)の運転モード等を給湯機(51)に送信することを示しており、「○」は浴室暖房ユニット(2)の運転モード等を給湯機(51)に送信することを示している。
【００３７】
例えば、脱衣室暖房ユニット(4)に対して暖房運転が選択されている状態で浴室暖房ユニット(2)が停止状態にあるときは、前記暖房運転をさせるために給湯機(51)からの温水が必要であることから給湯要求信号たる脱衣室暖房ユニット(4)の運転状態（暖房運転）を示す信号が出力される。一方、浴室暖房ユニット(2)に対して暖房運転が選択されている状態で脱衣室暖房ユニット(4)が停止状態にあるときは、この場合も給湯機(51)からの温水が必要であることから、給湯要求信号たる浴室暖房ユニット(2)の運転状態（暖房運転）を示す信号が出力される。更に、浴室暖房ユニット(2)が循環送風運転で脱衣室暖房ユニット(4)が換気運転の場合は、これら浴室暖房ユニット(2)と脱衣室暖房ユニット(4)の何れも温水を必要としないから、給湯不要求信号たる浴室暖房ユニット(2)の運転状態（循環送風運転）を示す信号が出力される。
【００３８】
このように、前記リモコン装置(6)のユニット選択スイッチ(66)やモード選択スイッチ(63)で運転モードが選択された浴室暖房ユニット(2)及び脱衣室暖房ユニット(4)のうち、少なくとも一つの暖房ユニットに対して暖房運転が選択されている場合（乾燥運転が選択されている場合も同様）は、前記循環流路(D)に温水を供給させる給湯要求信号をリモコン装置(6)から通信線(61)を介して給湯機(51)に送信する。
【００３９】
従って、浴室暖房ユニット(2)及び脱衣室暖房ユニット(4)の運転モードの組合せ態様が多数存在するにも関わらず、同時運転される各暖房ユニット(2)(4)のうち一方の暖房ユニットが暖房運転又は乾燥運転であるか否かを示す一種類の給湯要求信号を給湯機に送信するだけでよいから、浴室暖房ユニット(2)と脱衣室暖房ユニット(4)に共通のリモコン装置(6)から単一の通信線を介して給湯機を制御することができる。従って、各暖房ユニット(2)(4)に対応してリモコン装置(6)(6)を各別に設ける為にリモコン装置の数だけ給湯機への通信線が必要なものに比べて、通信線の数が少なくなり、その分、配線作業の作業性が向上する。
【００４０】
又、図５の表は、浴室暖房ユニット(2)と脱衣室暖房ユニット(4)が共に温水を必要としない運転モードが選択された場合及び、共に温水を必要とする運転モードが選択された場合は、原則的には浴室暖房ユニット(2)の運転モードを示す信号が優先的に給湯機(51)に送信されるようになっている。具体的には、浴室暖房ユニット(2)及び脱衣室暖房ユニット(4)に対して、共に、温水を必要としない循環送風運転又は換気運転が選択されている場合（図５の右下の４マスの状態）は、浴室暖房ユニット(2)の運転モードを示す信号が優先的に給湯機(51)に送信される。一方、浴室暖房ユニット(2)及び脱衣室暖房ユニット(4)に対して、共に、温水を必要とする暖房運転又は乾燥運転が選択されている場合（図５の中央の４マスの状態）は、浴室暖房ユニット(2)が乾燥運転で脱衣室暖房ユニット(4)が暖房運転の場合を除き、原則的には、浴室暖房ユニット(2)の運転モードを示す信号が優先的に給湯機(51)に送信される。
【００４１】
又、同表は、浴室暖房ユニット(2)と脱衣室暖房ユニット(4)に対して、暖房運転と乾燥運転が選択された場合は、暖房運転を示す信号が優先的に給湯機(51)に送信されるようになっている。具体的には、浴室暖房ユニット(2)に対して暖房運転が選択され且つ脱衣室暖房ユニット(4)に対して乾燥運転が選択されている場合は、浴室暖房ユニット(2)の運転状態に対応する暖房運転を示す信号が給湯機(51)に送信される。これとは逆に、脱衣室暖房ユニット(4)に対して暖房運転が選択され且つ浴室暖房ユニット(2)に対して乾燥運転が選択されている場合は、脱衣室暖房ユニット(4)の運転状態に対応する暖房運転を示す信号が給湯機(51)に送信され、これら何れの場合も、暖房運転を示す信号が乾燥運転を示す信号に優先して給湯機(51)に送信される。
又、脱衣室暖房ユニット(4)が停止又は異常停止の場合は、全て浴室暖房ユニット(2)の運転モード等を示す信号が給湯機(51)に送信される（図５の左から２つの縦列参照）。
【００４２】
[給湯機(51)について]
図２に示すように、上記循環流路(D)に温水供給する給湯機(51)は、第１温水出口(511)と温水戻り口(512)を繋ぐ流路には給湯用熱交換器(56)と循環ポンプ(58)が設けられていると共に、循環ポンプ(58)と給湯用熱交換器(56)の間からの分岐流路の下流端は第２温水出口(513)に繋がっている。
【００４３】
又、給湯用熱交換器(56)を加熱するガスバーナ(50)へのガス回路(59)には元弁(590)とガス量調整弁(591)が配設されており、これら元弁(590)やガス量調整弁(591)、更には、上記循環ポンプ(58)は給湯機制御装置(592)で制御されるようになっている。
そして、給湯機(51)は、前述した浴室暖房ユニット(2)又は脱衣室暖房ユニット(4)が暖房運転中であるか又は乾燥運転中であることを示す信号（給湯要求信号）を受けた場合には、ガスバーナ(50)を燃焼状態に維持して循環ポンプ(58)を作動させるように構成されている。
【００４４】
[動作の実際]
次に、上記した実施の形態に係る空気調和システムの動作の実際を説明する。
先ず、リモコン装置(6)又は台所用リモコン装置(16)に設けられた運転スイッチ(65)(161)を投入するとスタンバイ状態になる。
【００４５】
次に、リモコン装置(6)のユニット選択スイッチ(66)を繰り返して投入することにより、運転モードをセットすべき浴室暖房ユニット(2)又は脱衣室暖房ユニット(4)を選択し、選択後に確定スイッチ(67)を投入して該選択を確定する。次に、モード選択スイッチ(63)を繰り返して投入することにより、前記選択した浴室暖房ユニット(2)又は脱衣室暖房ユニット(4)の運転モードを選択する。即ち、前記運転モードとして、暖房運転，乾燥運転，循環送風運転，換気運転、若しくは、停止を選択し、その後、確定スイッチ(67)を投入する。そして、このモード選択操作を、浴室暖房ユニット(2)と脱衣室暖房ユニット(4)に対して実行する。すると、選択された運転モードに応じて浴室暖房ユニット(2)及び脱衣室暖房ユニット(4)や給湯機(51)を作動させることができる。
【００４６】
例えば、浴室暖房ユニット(2)の運転モードとして暖房運転が選択されると、ユニット制御装置(300)によって浴室暖房ユニット(2)の温水開閉弁(222)が開弁されると共に循環ファン(21)が回転せしめられる。又、リモコン装置(6)から通信線(61)を介して給湯機(51)の給湯機制御装置(592)に給湯要求信号が送信される。具体的には、図５に於ける浴室暖房ユニット(2)の運転モードを示す縦列に記載した給湯要求信号たる「暖房運転」を示す信号が、脱衣室暖房ユニット(4)の運転モードに関わらず、給湯機(51)の給湯機制御装置(592)に送信される。すると、給湯機(51)のガス回路(59)に挿入された元弁(590)が開弁すると共に、図示しない点火装置が作動してガスバーナ(50)が燃焼状態に維持され、循環ポンプ(58)が作動し、給湯機(51)の給湯用熱交換器(56)で加熱生成された温水が循環流路(D)から浴室暖房ユニット(2)側へ流れる。
【００４７】
これにより、給湯機(51)の第１温水出口(511)から浴室暖房ユニット(2)の放熱用熱交換器(22)を備えた放熱用分岐流路(20)に温水が供給されて該放熱用熱交換器(22)が前記温水で加熱昇温される。すると、浴室暖房ユニット(2)の循環ファン(21)が作動しているから、浴室(A)内の空気がグリル板(11)（図３参照）→放熱用熱交換器(22)→循環ファン(21)→温風吐出口(25)→浴室(A)内と繋がる経路で循環し、これにより、浴室(A)の暖房が行なえる。
【００４８】
他方、図５に示すように、浴室暖房ユニット(2)の運転モードとして循環送風運転が選択されると、脱衣室暖房ユニット(4)が停止，異常停止，循環送風運転，換気運転にセットされている場合は、リモコン装置(6)から給湯機(51)に給湯不要求信号（循環送風運転を示す信号）が送信されて温水開閉弁(222)が閉弁状態に維持される。これにより、給湯機(51)から温水供給されることなく、浴室(A)内の空気が循環ファン(21)で循環されて循環送風運転が継続する。
【００４９】
又、浴室暖房装置(2)の乾燥運転が選択されている場合は、前記暖房運転状態で更に換気ファン(72)が作動され、これにより、浴室(A)内の空気を換気ファン(72)で換気しながら前記暖房運転が実行されて乾燥運転が進行する。又、換気運転が選択されている場合は、給湯機(51)から温水供給されることなく換気ファン(72)のみが作動される。
尚、脱衣室暖房ユニット(4)も上記浴室暖房ユニット(2)と同様の動作を実行する。例えば、脱衣室暖房ユニット(4)の運転モードとして暖房運転が選択されると、前記のようにリモコン装置(6)から給湯機(51)に給湯要求信号（脱衣室暖房ユニット(4)又は浴室暖房ユニット(2)が暖房運転モードであることを示す信号：図５参照）を出力し、脱衣室暖房ユニット(4)側の温水開閉弁(442)を開弁させると共に循環ファン(41)を作動させ、これにより、脱衣室(B)の暖房を行なう。
【００５０】
上記実施の形態によれば、互いに並列に配管接続された浴室暖房ユニット(2)と脱衣室暖房ユニット(4)のうち、温水供給を必要とする運転モードを実行しているユニットに対応する温水開閉弁(222)(442)のみが開弁するから、浴室暖房ユニット(2)及び脱衣室暖房ユニット(4)に温水を直列回路で一律供給する既述従来のものに比べて熱ロスを防止することができる。
又、給湯を必要とする運転モードを実行しているユニットに対応する温水開閉弁(222)(442)のみが開弁するから、暖房運転と循環送風運転等の異なったモードの運転を浴室(A)と脱衣室(B)で同時に実行させることができる。
【００５１】
更に、既述したように、浴室暖房ユニット(2)と脱衣室暖房ユニット(4)に対して各別にリモコン装置を設ける場合に比べて、該リモコン装置と給湯機(51)を接続する通信線の本数が少なくて済むから、通信配線作業の作業性が向上する。
尚、上記実施の形態では、浴室(A)と脱衣室(B)のニ室の空気調和を行なう場合を例示的に説明したが、浴室暖房ユニット(2)や脱衣室暖房ユニット(4)と同一構造の他の暖房ユニットを準備し、これを、台所や居間等の他の部屋に設置し、これにより、三室以上の空気調和を行なえるようにしても良い。
【００５２】
又、上記実施の形態では浴室暖房ユニット(2)に内蔵した換気ファン(72)と同様の換気ファンを脱衣室暖房ユニット(4)にも内蔵させたが、浴室暖房ユニット(2)と脱衣室暖房ユニット(4)に対して共用できる単一の換気ファンを設け、この単一の換気ファンにより、浴室(A)及び脱衣室(B)の空気を吸引して屋外に排出するようにしてもよい。
【図面の簡単な説明】
【００５３】
【図１】本発明の実施の形態に係る配管構造を適用した空気調和システムの説明図
【図２】温水回路等の概略図
【図３】浴室暖房ユニット(2)の断面図
【図４】リモコン装置(6)の正面図
【図５】給湯機(51)に送信する信号の内容を説明する表
【図６】従来例の説明図
【符号の説明】
【００５４】
(2)・・・浴室暖房ユニット
(4)・・・脱衣室暖房ユニット
(6)・・・リモコン装置
(20)(40)・・・放熱用分岐流路
(21)(41)・・・循環ファン
(22)(44)・・・放熱用熱交換器
(61)・・・通信線
(72)・・・換気ファン
(C)・・・並列回路
(D)・・・循環流路
(222)(442)・・・温水開閉弁
【図１】
2005134004.tif 000003
【図２】
2005134004.tif 000004
【図３】
2005134004.tif 000005
【図４】
2005134004.tif 000006
【図５】
2005134004.tif 000007
【図６】
2005134004.tif 000008